(57)【要約】  本発明は、無効クリックを処理する方法およびこの方法を実行するシステムに関する。本発明に係る無効クリックを処理する方法は、広告に対する無効クリックを発生させるユーザ端末機の無効クリックＩＰアドレスを確認するステップと、無効クリックＩＰアドレスが確認される場合、無効クリックＩＰアドレスを広告に関連付けて、無効クリックリストに登録して保持するステップと、無効クリックＩＰアドレスを用いた広告表示要請に対して、無効クリックＩＰアドレスのユーザ端末機に広告を除いた結果ページを提供するステップとを含む。このとき、広告に対する無効クリックを発生させるユーザ端末機の無効クリックＩＰアドレスを確認するステップは、所定の期間内に同一ＩＰアドレスを用いた同一広告に対するクリック回数が所定の回数以上である場合、同一ＩＰアドレスを無効クリックＩＰアドレスとして確認するステップとすることができる。【選択図】図１
2010525479.tif 000002
【特許請求の範囲】
【請求項１】
広告に対する無効クリックを発生させるユーザ端末機の無効クリックＩＰアドレスを確認するステップと、
前記無効クリックＩＰアドレスが確認される場合、前記無効クリックＩＰアドレスを前記広告に関連付けて、無効クリックリストに登録して保持するステップと、
前記無効クリックＩＰアドレスを用いた広告表示要請に対して、前記無効クリックＩＰアドレスのユーザ端末機に前記広告を除いた結果ページを提供するステップと、
を含むことを特徴とする無効クリック処理方法。
【請求項２】
広告に対する無効クリックを発生させるユーザ端末機の無効クリックＩＰアドレスを確認する前記ステップは、
所定の期間内に同一ＩＰアドレスを用いた同一広告に対するクリック回数が所定の回数以上である場合、前記同一ＩＰアドレスを前記無効クリックＩＰアドレスとして確認することを特徴とする請求項１に記載の無効クリック処理方法。
【請求項３】
前記無効クリックＩＰアドレスを介した広告露出要請に対して、前記無効クリックＩＰアドレスのユーザ端末機に前記広告を除いた結果ページを提供する前記ステップは、
前記広告表示要請に対する結果ページを生成するステップと、
前記広告表示要請を送信するユーザ端末機のＩＰアドレスを前記無効クリックリストから検索するステップと、
前記ＩＰアドレスが前記無効クリックリストに存在する場合、前記ＩＰアドレスと関連付けられた登録された広告を確認するステップと、
前記結果ページから前記広告を除いて前記結果ページを前記ユーザ端末機に送信するステップと、
を含むことを特徴とする請求項１に記載の無効クリック処理方法。
【請求項４】
前記結果ページから前記広告を除いて前記ユーザ端末機に送信する前記ステップは、
前記結果ページに前記広告が存在するか否かを確認するステップと、
前記広告が存在する場合、前記広告を除いて広告表示順位による次順位の広告を前記結果ページに追加するステップと、
前記結果ページを前記ユーザ端末機に送信するステップと、
を含むことを特徴とする請求項３に記載の無効クリック処理方法。
【請求項５】
広告主から遮断要請ＩＰアドレスを受信するステップと、
前記遮断要請ＩＰアドレスを前記広告主の広告と関連付けて、前記遮断要請ＩＰアドレスを無効クリックリストに登録して保持するステップと、
前記遮断要請ＩＰアドレスを用いた広告表示要請に対して、前記広告を除いた結果ページを提供するステップと、
を含むことを特徴とする無効クリック処理方法。
【請求項６】
前記遮断要請ＩＰアドレスを介した広告表示要請に対して、前記広告を除いた結果ページを提供する前記ステップは、
前記広告表示要請に対する結果ページを生成するステップと、
前記広告表示要請を送信するユーザ端末機のＩＰアドレスを前記無効クリックリストから検索するステップと、
前記ＩＰアドレスが前記無効クリックリストに存在する場合、前記ＩＰアドレスと関連付けられて登録された広告を確認するステップと、
前記結果ページから前記広告を除いて前記結果ページを前記ユーザ端末機に送信するステップと、
を含むことを特徴とする請求項５に記載の無効クリック処理方法。
【請求項７】
前記結果ページから前記広告を除いて前記ユーザ端末機に送信する前記ステップは、
前記結果ページに前記広告が存在するか否かを確認するステップと、
前記広告が存在する場合、前記広告を除いて広告表示順位による次順位の広告を前記結果ページに追加するステップと、
前記結果ページを前記ユーザ端末機に送信するステップと、
を含むことを特徴とする請求項６に記載の無効クリック処理方法。
【請求項８】
請求項１〜７のうちのいずれか一項に記載の方法を実行させるためのプログラムを記臆したコンピュータ読み取り可能な記録媒体。
【請求項９】
広告に対する無効クリックを発生させるユーザ端末機の無効クリックＩＰアドレスを確認するように構成された無効クリックＩＰアドレス確認部と、
前記無効クリックＩＰアドレスが確認される場合、前記無効クリックＩＰアドレスを前記広告に関連付けて、前記無効クリックＩＰアドレスを無効クリックリストに登録して保持するように構成された無効クリックリスト保持部と、
前記無効クリックＩＰアドレスを用いた広告表示要請に対して、前記無効クリックＩＰアドレスのユーザ端末機に前記広告を除いた結果ページを提供する結果ページ提供部と、
を備えることを特徴とする無効クリックを遮断する無効クリック処理システム。
【請求項１０】
前記無効クリックＩＰアドレス確認部は、
所定の期間内に同一ＩＰアドレスを用いた同一広告に対するクリック回数が所定の回数以上である場合、前記同一ＩＰアドレスを前記無効クリックＩＰアドレスとして確認することを特徴とする請求項９に記載の無効クリックを遮断する無効クリック処理システム。
【請求項１１】
広告主から遮断要請ＩＰアドレスを受信するように構成された遮断要請ＩＰアドレス受信部と、
前記遮断要請ＩＰアドレスを前記広告主の広告と関連付けて、前記遮断要請ＩＰアドレスを無効クリックリストに登録して保持するように構成された無効クリックリスト維持部と、
前記遮断要請ＩＰアドレスを用いた広告表示要請に対して、前記広告を除いた結果ページを提供するように構成された結果ページ提供部と、
を備えることを特徴とする無効クリックを遮断する無効クリック処理システム。
【請求項１２】
前記結果ページ提供部は、
前記広告表示要請に対する結果ページを生成するように構成された結果ページ生成部と、
前記広告表示要請を送信するユーザ端末機のＩＰアドレスを前記無効クリックリストから検索するように構成されたＩＰアドレス検索部と、
前記ＩＰアドレスが前記無効クリックリストに存在する場合、前記ＩＰアドレスと関連付けられて登録された広告を確認するように構成された広告確認部と、
前記結果ページから前記広告を除いて前記結果ページを前記ユーザ端末機に送信する広告処理部と、
を備えることを特徴とする請求項９または請求項１１のいずれか一つに記載の無効クリックを遮断する無効クリック処理システム。
【請求項１３】
前記広告処理部は、
前記結果ページに前記広告が存在するか否かを確認するように構成された広告確認部と、
前記広告が存在する場合、前記広告を除いて広告表示順位による次順位の広告を前記結果ページに追加するように構成された広告除外部と、
前記結果ページを前記ユーザ端末機に送信するように構成された結果ページ送信部と、
を備えることを特徴とする請求項１２に記載の無効クリックを遮断する無効クリック処理システム。
【発明の詳細な説明】
【技術分野】
【０００１】
本発明は、無効クリック（ｉｎｖａｌｉｄ  ｃｌｉｃｋ）を処理する方法およびこの方法を実行するシステムに関し、より詳細には、無効クリックを発生させるＩＰ（Ｉｎｔｅｒｎｅｔ  Ｐｒｏｔｏｃｏｌ）アドレスのユーザ端末機に無効クリックの対象を表示させないことにより、無効クリックを処理する方法およびシステムに関する。
【背景技術】
【０００２】
ＣＰＣ（Ｃｏｓｔ  Ｐｅｒ  Ｃｌｉｃｋ）広告は、入札額によって整列されて表示されたウェブサイトリストにおいて、インターネットユーザの訪問を意味するハイパーテキスト（Ｈｙｐｅｒｔｅｘｔ）のクリックによって広告費用を算定する。しかしながら、上述したＣＰＣ方式は、広告主に不必要な費用の支払いを引き起こし得る「無効クリック（または不正クリック）」という致命的な問題点を有している。
【０００３】
すなわち、ＣＰＣ方式は、広告効果によって課金がなされるため、表示(ｅｘｐｏｓｕｒｅ)による既存の課金方式とは異なり、現在広告主に最も好まれる課金方式として用いられているが、意図的なクリックの繰り返しにより、広告の効果が誘導されてしまうという問題がある。このような無効クリックは、ＣＰＣ課金体系の根幹を崩壊し得る致命的な危険要素であるため、多くの企業がこれを防ぐためのシステムを構築しているが、１００％防ぐことは困難である。
【０００４】
上述したように、ＣＰＣ広告に関する従来技術は、検索ユーザの意図しない多数のクリックや同一人の悪意的なクリックにも費用を支払わなければならないという非効率的な問題点がある。
【発明の概要】
【発明が解決しようとする課題】
【０００５】
本発明は、上述したような従来技術の問題点を解決するために、無効クリックを処理する方法およびこの方法を実行するシステムに関する新しい技術を提供する。
【０００６】
本発明はまた、任意の広告に対して無効クリックを発生させるユーザ端末機のＩＰアドレスを確認し、このＩＰアドレスを無効クリックＩＰアドレスとしてその広告と関連づけ、ＩＰアドレスとして登録および維持し、以後にこの無効クリックＩＰアドレスを用いた広告表示要請に対してその広告を表示しないことにより、無効クリックを予め遮断する無効クリックを処理する方法及びシステムを提供することを目的とする。
【０００７】
また、本発明は、広告主から入力された遮断要請ＩＰアドレスをその広告主の広告と関連付け、遮断要請ＩＰアドレスを登録および維持し、この遮断要請ＩＰアドレスを用いた広告表示要請に対して広告を表示させないことにより、無効クリックを遮断する無効クリックを処理する方法及びシステムを提供することを他の目的とする。
【０００８】
さらに、本発明は、無効クリックＩＰアドレスまたは遮断要請ＩＰアドレスのいずれかによって表示が制限された広告を、広告表示順位による次順位の広告に代替することにより、広告展示要請に対する結果ページを提供する無効クリックを処理する方法及びシステムを提供することをさらに他の目的とする。
【課題を解決するための手段】
【０００９】
上述した目的を達成し、上述した従来技術の問題点を解決するために、本発明の一実施形態よれば、広告に対する無効クリックを発生させるユーザ端末機の無効クリックＩＰアドレスを確認するステップと、前記無効クリックＩＰアドレスが確認される場合、前記無効クリックＩＰアドレスを前記広告に関連付けて、無効クリックリストに登録して保持するステップと、前記無効クリックＩＰアドレスを用いた広告表示要請に対して、前記無効クリックＩＰアドレスのユーザ端末機に前記広告を除いた結果ページを提供するステップとを含むことを特徴とする無効クリック処理方法が提供される。
【００１０】
本発明の一側面によれば、広告に対する無効クリックを発生させるユーザ端末機の無効クリックＩＰアドレスを確認する前記ステップは、所定の期間内に同一ＩＰアドレスを用いた同一広告に対するクリック回数が所定の回数以上である場合、前記同一ＩＰアドレスを前記無効クリックＩＰアドレスとして確認する。
【００１１】
本発明の他の側面によれば、前記無効クリックＩＰアドレスを介した広告表示要請に対して、前記無効クリックＩＰアドレスのユーザ端末機に前記広告を除いた結果ページを提供する前記ステップは、前記広告表示要請に対する結果ページを生成するステップと、前記広告表示要請を送信するユーザ端末機のＩＰアドレスを前記無効クリックリストから検索するステップと、前記ＩＰアドレスが前記無効クリックリストに存在する場合、前記ＩＰアドレスと関連付けられて登録された広告を確認するステップと、前記結果ページから前記広告を除いて前記結果ページを前記ユーザ端末機に送信するステップとを含むことができる。
【００１２】
本発明のさらに他の側面によれば、前記結果ページから前記広告を除いて前記ユーザ端末機に送信する前記ステップは、前記結果ページに前記広告が存在するか否かを確認するステップと、前記広告が存在する場合、前記広告を除いて広告表示順位による次順位の広告を前記結果ページに追加するステップと、前記結果ページを前記ユーザ端末機に送信するステップとを含むことができる。
【００１３】
本発明の他の実施形態によれば、広告主から遮断要請ＩＰアドレスを受信するステップと、前記遮断要請ＩＰアドレスを前記広告主の広告と関連付けて、前記遮断要請ＩＰアドレスを無効クリックリストに登録して保持するステップと、前記遮断要請ＩＰアドレスを用いた広告表示要請に対して、前記広告を除いた結果ページを提供するステップとを含む無効クリック処理方法が提供される。このとき、前記遮断要請ＩＰアドレスを介した広告表示要請に対して、前記広告を除いた結果ページを提供する前記ステップは、前記広告表示要請に対する結果ページを生成するステップと、前記広告表示要請を送信するユーザ端末機のＩＰアドレスを前記無効クリックリストから検索するステップと、前記ＩＰアドレスが前記無効クリックリストに存在する場合、前記ＩＰアドレスと関連付けられて登録された広告を確認するステップと、前記結果ページから前記広告を除いて前記結果ページを前記ユーザ端末機に送信するステップとを含むことができる。
【発明の効果】
【００１４】
本発明によれば、任意の広告に対して無効クリックを発生させるユーザ端末機のＩＰアドレスを確認し、このＩＰアドレスを無効クリックＩＰアドレスとしてこの広告と関連付け、このＩＰアドレスを登録して保持し、以後、この無効クリックＩＰアドレスを用いた広告表示要請に対してこの広告を表示させないことにより、無効クリックを予め遮断することができる。
【００１５】
また、本発明によれば、広告主から入力された遮断要請ＩＰアドレスを広告主の広告と関連付け、この遮断要請ＩＰアドレスを登録して保持し、この遮断要請ＩＰアドレスを用いた広告表示要請に対してこの広告を表示させないことにより、無効クリックを遮断することができる。
【００１６】
さらに、本発明によれば、無効クリックＩＰアドレスまたは遮断要請ＩＰアドレスのいずれかによって表示が制限された広告を広告表示順位による次順位の広告に代替することにより、広告表示要請に対する結果ページを提供することができる。
【図面の簡単な説明】
【００１７】
【図１】本発明の実施形態に係る無効クリック処理システムの概観を説明するための一構成例である。
【図２】本発明の第１実施形態に係る無効クリックを処理する方法を示すフローチャートである。
【図３】本発明の第１実施形態に係る無効クリックが発生した広告を除いた結果ページを提供する方法を示すフローチャートである。
【図４】本発明の第２実施形態に係る無効クリック処理システムの内部構成を説明するためのブロック図である。
【図５】本発明の第３実施形態に係る無効クリックを処理する方法を示すフローチャートである。
【図６】本発明の第４実施形態に係る無効クリック処理システムの内部構成を説明するためのブロック図である。
【発明を実施するための形態】
【００１８】
以下、添付の図面を参照しながら、本発明に係る多様な実施形態について詳しく説明する。図面において同じ構成要素には同じ符合を付す。
【００１９】
図１は、本発明の実施形態に係る無効クリック処理システム１０１の概観を説明するための一構成例である。
【００２０】
上述したように、無効クリックとは、同じ広告に対して意図的にクリックを繰り返す行為に対するクリックを意味する。１つ目の方法として、複数のユーザ端末機１０２が広告リストページ１０３にアクセスするときに、１つのユーザ端末機１０４が同じ広告１０５に対して連続的にクリックを繰り返す場合、無効クリック処理システム１０１は、そのユーザ端末機１０４のＩＰアドレスを確認し、このＩＰアドレスを広告１０５と関連付け、この無効クリックを処理するために無効クリックリストに記憶する。
【００２１】
すなわち、無効クリックリストは、このＩＰアドレスのような無効クリックＩＰアドレスと、この無効クリックＩＰアドレスに対して無効クリックの対象となる広告１０５とを互いに関連付けて記憶するため、以後、この無効クリックＩＰアドレスから広告表示要請が発生する場合、その広告１０５を除くことにより、その広告１０５に対する無効クリックを予め遮断することができる。
【００２２】
また、２つ目の方法として、広告主が遮断を要請するＩＰアドレスを遮断要請ＩＰアドレスとして受信し、この遮断要請ＩＰアドレスと広告主の広告を互いに関連付け、遮断要請ＩＰアドレスを無効クリックリストに保持することにより、上述した１つ目の方法と同様に、遮断要請ＩＰアドレスからの無効クリックを予め遮断することができる。
【００２３】
上述した無効クリックを処理する方法およびシステムに関する１つ目の方法については図２〜４を参照しながら、２つ目の方法については図５および図６を参照しながらより詳しく説明する。
【００２４】
図２は、本発明の第１実施形態に係る無効クリックを処理する方法を示すフローチャートである。
【００２５】
動作ステップＳ２０１において、無効クリック処理システムは、ある広告に対して無効クリックを発生させるユーザ端末機の無効クリックＩＰアドレスを確認する。このとき、無効クリックＩＰアドレスを確認するために、無効クリック処理システムは、所定の期間内に同一ＩＰアドレスを用いた同一広告に対するクリック回数が所定の回数以上である場合、この同一ＩＰアドレスを無効クリックＩＰアドレスとして確認する。
【００２６】
動作ステップＳ２０２において、無効クリックＩＰアドレスが確認された場合、無効クリック処理システムは動作ステップＳ２０３を実行し、無効クリックＩＰアドレスが確認されない場合には動作ステップＳ２０１を実行する。すなわち、無効クリック処理システムは、ステップＳ２０１およびステップＳ２０２を用いて、広告に対する無効クリックを連続的に検出することができる。例えば、無効クリック処理システムは、現期間内に同一ＩＰアドレスを用いて同一広告が所定の回数だけクリックされたかを確認し、毎期間ごとにこれを確認することにより、連続的に無効クリック発生の有無を確認することができる。
【００２７】
動作ステップＳ２０３において、無効クリック処理システムは、無効クリックＩＰアドレスが確認された場合、無効クリックＩＰアドレスをその広告に関連付け、無効クリックリストに登録して保持する。これは、以後にこの無効クリックＩＰアドレスを用いるユーザ端末機から広告展示を要請する場合、この広告を除くことにより、この広告に対する無効クリックを根本的に遮断するためである。これについては、動作ステップＳ２０４を参照しながらより詳しく説明する。
【００２８】
動作ステップＳ２０４において、無効クリック処理システムは、無効クリックＩＰアドレスを用いた広告表示要請に対して、この無効クリックＩＰアドレスのユーザ端末機にこの広告を除いた結果ページを提供する。すなわち、無効クリック処理システムにおいて、無効クリックＩＰアドレスを用いた広告表示要請に対して、無効クリックの対象となる広告を表示させないようにできる。このような方法については、図３を参照しながらより詳しく説明する。
【００２９】
図３は、本発明の第１実施形態に係る無効クリックＩＰアドレスに関する広告を除いた結果ページを提供する方法を示すフローチャートである。
【００３０】
動作ステップＳ３０１において、無効クリック処理システムは、広告表示要請に対する結果ページを生成する。このとき、動作ステップＳ３０１において、無効クリック処理システムは、無効クリックと関係なく、まず広告表示要請に基づく結果ページを生成するため、このときの結果ページには無効クリックの対象となる広告が含まれていることもあるし、あるいは含まれていないこともある。
【００３１】
動作ステップＳ３０２において、無効クリック処理システムは、広告表示要請を送信するユーザ端末機のＩＰアドレスを無効クリックリストから検索する。すなわち、無効クリック処理システムは、ＩＰアドレスを無効クリックリストから検索することにより、ＩＰアドレスが無効クリックＩＰアドレスであるかを確認することができる。
【００３２】
従って、動作ステップＳ３０３において、ユーザ端末機のＩＰアドレスが無効クリックリストから検索された場合には、無効クリック処理システムは動作ステップＳ３０４を実行し、検索されなかった場合には、無効クリック処理システムは動作ステップＳ３０６を実行する。すなわち、無効クリック処理システムは、ＩＰアドレスが無効クリックＩＰアドレスであるかを確認し、確認結果に基づいて異なる動作ステップを実行することができる。
【００３３】
動作ステップＳ３０４において、無効クリック処理システムは、ＩＰアドレスが無効クリックリストに存在する場合、このＩＰアドレスと関連付けられて登録された広告を確認する。すなわち、最初に、無効クリックＩＰアドレスは、該当する広告と関連付けられて無効クリックリストに登録されたため、このＩＰアドレスが無効クリックＩＰアドレスとして判断された場合、この無効クリックＩＰアドレスに対応する広告を確認することができる。
【００３４】
動作ステップＳ３０５において、無効クリック処理システムは、結果ページからこの広告を除いてユーザ端末機に送信する。上述したように、無効クリックＩＰアドレスとして判断されたＩＰアドレスに関する広告を結果ページから除き、その結果ページをユーザ端末機に送信することにより、広告に対する無効クリックを予め遮断することが可能となる。
【００３５】
動作ステップＳ３０１において生成された結果ページは、この広告を含むこともあるし、または広告を含まないこともあるため、結果ページがこの広告を含む場合にのみ広告を除くことができる。このために、無効クリック処理システムは、結果ページにこの広告が存在するかを確認し、この広告が存在する場合には、広告表示順位によるこの広告を除いた次順位の広告を結果ページに追加し、その結果ページをユーザ端末機に送信することができる。
【００３６】
動作ステップＳ３０６において、無効クリック処理システムは、結果ページをユーザ端末機に送信する。すなわち、ＩＰアドレスが無効クリックＩＰアドレスではない場合、ユーザ端末機から受信された広告表示要請による結果ページを生成し、すぐにその結果ページをユーザ端末機に送信することができる。
【００３７】
図４は、本発明の第２実施形態に係る無効クリック処理システム４００の内部構成を説明するためのブロック図である。図４に示すように、無効クリック処理システム４００は、無効クリックＩＰアドレス確認部４１０と、無効クリックリスト保持部４２０と、結果ページ提供部４３０とを備える。
【００３８】
無効クリックＩＰアドレス確認部４１０は、広告に対する無効クリックを発生させるユーザ端末機の無効クリックＩＰアドレスを確認する。このとき、無効クリックＩＰアドレス確認部４１０は、所定の期間内に同一ＩＰアドレスを用いた同一広告に対するクリック回数が所定の回数以上である場合、この同一ＩＰアドレスを無効クリックＩＰアドレスとして確認することができる。
【００３９】
無効クリックリスト保持部４２０は、無効クリックＩＰアドレスが確認される場合、無効クリックＩＰアドレスを広告に関連付け、無効クリックリストに登録して保持する。これは、以後にこの無効クリックＩＰアドレスを用いるユーザ端末機で広告表示を要請する場合、この広告を除くことにより、この広告に対する無効クリックを予め遮断するためである。これについては、結果ページ提供部４３０を参照しながらより詳しく説明する。
【００４０】
結果ページ提供部４３０は、無効クリックＩＰアドレスを用いた広告表示要請に対して、この無効クリックＩＰアドレスのユーザ端末機にこの広告を除いた結果ページを提供する。このとき、結果ページ提供部４３０は、この広告を除いた結果ページを提供するために、図４に示すように、結果ページ生成部４３１と、ＩＰアドレス検索部４３２と、広告確認部４３３と、広告処理部４３４とを備えることができる。
【００４１】
結果ページ生成部４３１は、広告表示要請に対する結果ページを生成する。このとき、結果ページ生成部４３１は、無効クリックと関係なく、まず広告表示要請に基づく結果ページを生成するため、このときの結果ページには無効クリックの対象となる広告が含まれていることもあるし、あるいは含まれていないこともある。
【００４２】
ＩＰアドレス検索部４３２は、広告表示要請を送信するユーザ端末機のＩＰアドレスを無効クリックリストから検索する。すなわち、ＩＰアドレス検索部４３２は、ＩＰアドレスを無効クリックリストから検索することにより、このＩＰアドレスが無効クリックＩＰアドレスに一致するか否かを確認することができる。このとき、ユーザ端末機のＩＰアドレスが無効クリックリストから検索されない場合、ＩＰアドレス検索部４３２は、結果ページ生成部４３１で生成された結果ページをすぐにユーザ端末機に送信することができる。
【００４３】
広告確認部４３３は、ＩＰアドレスが無効クリックリストに存在する場合、このＩＰアドレスと関連付けて登録された広告を確認する。すなわち、最初に、無効クリックＩＰアドレスは、対応する広告と関連付けられて無効クリックリストに登録されたため、このＩＰアドレスが無効クリックＩＰアドレスとして判断された場合、この無効クリックＩＰアドレスに対応する広告を確認することができる。
【００４４】
広告処理部４３４は、結果ページから広告を除いてユーザ端末機に送信する。このとき、広告処理部４３４は、結果ページに広告が存在するかを確認するように構成された広告確認部（図示せず）と、広告が存在する場合、この広告を除いて広告表示順位による次順位の広告を結果ページに追加するように構成された広告除外部（図示せず）と、結果ページをユーザ端末機に送信する結果ページ送信部（図示せず）とを備えてもよい。すなわち、無効クリックＩＰアドレスのユーザ端末機では、広告が表示されないようになる。
【００４５】
上述したように、本発明に係る無効クリック処理方法およびシステムを用いれば、任意の広告に対して無効クリックを発生させるユーザ端末機のＩＰアドレスを確認し、このＩＰアドレスを無効クリックＩＰアドレスとしてこの広告と関連付け、このＩＰアドレスを登録して保持し、以後、この無効クリックＩＰアドレスを用いた広告表示要請に対してこの広告を表示させないことにより、無効クリックを予め遮断することができる。また、無効クリックＩＰアドレスに基づいて表示が制限された広告を広告表示順位による次順位の広告に代替することにより、広告表示要請に対する結果ページを提供することができる。
【００４６】
図５は、本発明の第３実施形態に係る無効クリックを処理する方法を示すフローチャートである。
【００４７】
動作ステップＳ５０１において、無効クリック処理システムは、広告主から遮断要請ＩＰアドレスを受信する。すなわち、広告主は、特定ＩＰに対して広告主の広告が表示されないことを要望することができ、無効クリック処理システムは、このような特定ＩＰを遮断要請ＩＰアドレスとして受信することができる。
【００４８】
動作ステップＳ５０２において、無効クリック処理システムは、遮断要請ＩＰアドレスを広告主の広告と関連付け、無効クリックリストにこの遮断要請ＩＰアドレスを登録して保持する。これは、以後、この遮断要請ＩＰアドレスを用いるユーザ端末機からこの広告の表示が要請された場合、この広告を除くことにより、広告に対する無効クリックを予め遮断するためである。これについては、動作ステップＳ５０３を参照しながらより詳しく説明する。
【００４９】
動作ステップＳ５０３において、無効クリック処理システムは、遮断要請ＩＰアドレスを用いた広告表示要請に対して広告を除いた結果ページを提供する。このとき、無効クリック処理システムは、広告表示要請に対する結果ページを生成し、無効クリックリストから広告表示要請を送信するユーザ端末機のＩＰアドレスを検索し、このＩＰアドレスが無効クリックリストに存在する場合、このＩＰアドレスと関連付けられて登録された広告を確認し、結果ページから広告を除いてその結果ページをユーザ端末機に送信することができる。
【００５０】
また、結果ページから広告を除くために、結果ページに広告が存在するかを確認し、広告が存在する場合、この広告を除いて広告表示順位による次順位の広告を結果ページに追加してその結果ページをユーザ端末機に送信することができる。従って、遮断要請ＩＰアドレスに対応するユーザ端末機には、広告主の広告が表示されない。
【００５１】
図６は、本発明の第４実施形態に係る無効クリック処理システム６００の内部構成を説明するためのブロック図である。図６に示すように、無効クリック処理システム６００は、遮断要請ＩＰアドレス受信部６１０と、無効クリックリスト保持部６２０と、結果ページ提供部６３０とを備える。
【００５２】
遮断要請ＩＰアドレス受信部６１０は、広告主から遮断要請ＩＰアドレスを受信する。すなわち、広告主は、特定ＩＰに対して広告主の広告が表示されないことを要望することができ、遮断要請ＩＰアドレス受信部６１０は、このような特定ＩＰを遮断要請ＩＰアドレスとして受信することができる。
【００５３】
無効クリックリスト保持部６２０は、遮断要請ＩＰアドレスを広告主の広告と関連付け、この遮断要請ＩＰアドレスを無効クリックリストに登録して保持する。これは、以後、この遮断要請ＩＰアドレスを用いるユーザ端末機から広告の表示を要請する場合、この広告を除くことにより、この広告に対する無効クリックを予め遮断するためである。これについては、結果ページ提供部６３０を参照しながらより詳しく説明する。
【００５４】
結果ページ提供部６３０は、遮断要請ＩＰアドレスを用いた広告表示要請に対して広告を除いた結果ページを提供する。図６に示すように、結果ページ提供部６３０は、広告表示要請に対する結果ページを生成するように構成された結果ページ生成部６３１と、広告表示要請を送信するユーザ端末機のＩＰアドレスを無効クリックリストから検索するように構成されたＩＰアドレス検索部６３２と、このＩＰアドレスが無効クリックリストに存在する場合、このＩＰアドレスと関連付けられて登録された広告を確認するように構成された広告確認部６３３と、結果ページからこの広告を除いてその結果ページをユーザ端末機に送信するように構成された広告処理部６３４と、を備えてもよい。
【００５５】
また、広告処理部６３４は、結果ページから広告を除くために、結果ページにこの広告が存在するかを確認し、広告が存在する場合、この広告を除いて広告表示順位による次順位の広告を結果ページに追加し、その結果ページをユーザ端末機に送信することができる。従って、遮断要請ＩＰアドレスに対応するユーザ端末機では、広告主の広告が表示されない。
【００５６】
上述したように、本発明に係る無効クリック処理方法およびシステムを用いれば、広告主から入力された遮断要請ＩＰアドレスを広告主の広告と関連付けて登録して保持し、この遮断要請ＩＰアドレスを用いた広告表示要請に対して広告を表示させないことにより、無効クリックを遮断することができる。また、遮断要請ＩＰアドレスに基づいて表示が制限された広告を広告表示順位による次順位の広告に代替することにより、広告表示要請に対する結果ページを提供することができる。
【００５７】
なお、本発明に係る実施形態は、コンピュータにより実現される多様な動作を実行するためのプログラム命令を含むコンピュータ読取可能な記録媒体に記録されてもよい。当該記録媒体は、プログラム命令、データファイル、データ構造などを単独または組み合わせて含むこともでき、記録媒体およびプログラム命令は、本発明の目的のために特別に設計されて構成されたものでもよいし、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、およびリード・オンリー・メモリ（ＲＯＭ）、ランダム・アクセス・メモリ（ＲＡＭ）、フラッシュメモリなどのようなプログラム命令を記憶して実行するように特別に構成されたハードウェア装置が含まれる。プログラム命令の例としては、コンパイラによって生成されるような機械語コードだけでなく、インタプリタなどを用いてコンピュータによって実行され得る高級言語コードを含む。前記したハードウェア要素は、本発明の動作を実行するために一以上のソフトウェアモジュールとして作動するように構成することができる。
【００５８】
本発明の実施形態のいくつかについて示し説明したが、本発明は、説明された実施形態に限定されるものではなく、該当の技術分野において熟練した当業者にとっては、特許請求の範囲に記載された本発明の思想および領域から逸脱しない範囲内で、本発明を多様に修正および変更させることができることを理解することができるであろう。
【符号の説明】
【００５９】
４００、６００：無効クリック処理システム
４１０：無効クリックＩＰアドレス確認部
４２０：無効クリックリスト保持部
４３０：結果ページ提供部
４３１：結果ページ生成部
４３２：ＩＰアドレス検索部
４３３：広告確認部
４３４：広告処理部
【図１】
2010525479.tif 000003
【図２】
2010525479.tif 000004
【図３】
2010525479.tif 000005
【図４】
2010525479.tif 000006
【図５】
2010525479.tif 000007
【図６】
2010525479.tif 000008
【国際調査報告】
2010525479.tif 000009
2010525479.tif 000010